(57)【要約】【課題】潤滑油が流動状態にあっても、当該潤滑油に含まれる異物を適正に捕集するようにした異物捕集ユニット及びこの異物捕集ユニットを備える作動機を提供する。【解決手段】誘導体７０が、その各羽根７７により、誘導体７０近傍に位置する潤滑油をケーシング４０の前側室４０ｃ内に誘導すると、このように誘導された潤滑油は、傾動板５０を介しケーシング４０の後側室４０ｄ内に流動する。当該潤滑油に異物が含まれていれば、当該異物は異物通過阻止板６０の各網目を通過することなく後側室４０ｄ内に捕集されて、潤滑油のみが異物通過阻止板６０を通り流出する。【選択図】図３
2007247667.tif 000002
【特許請求の範囲】
【請求項１】
ケーシングと、
潤滑油を前記ケーシング内に誘導する誘導手段と、
前記ケーシング内に誘導された前記潤滑油を前記ケーシングに形成された流出口部から流出させるとともに前記潤滑油に含まれる異物を捕集するように、前記ケーシング内に設けられた異物捕集手段とを備える異物捕集ユニット。
【請求項２】
前記誘導手段は、前記潤滑油を回転により前記ケーシング内に誘導する回転部材を有することを特徴とする請求項１に記載の異物捕集ユニット。
【請求項３】
前記回転部材は、前記ケーシングに形成された流入口部に回転可能に支持されてなる請求項２に記載の異物捕集ユニット。
【請求項４】
前記回転部材は、前記流入口部の中心部に回転可能に支持される軸と、前記潤滑油を前記ケーシング内に誘導するような形状でもって前記軸から前記流入口部の内周面側へ放射状に延出する１枚または２枚以上の羽根とを有することを特徴とする請求項２または３に記載の異物捕集ユニット。
【請求項５】
前記異物捕集手段は、前記ケーシングの前記流出口部に設けられて前記潤滑油を通過させ前記異物の通過を阻止するような形状にて複数の貫通孔を離散的に形成してなる板部材と、前記ケーシングの前記板部材に対する内側部位とでもって構成されていることを特徴とする請求項１〜４のいずれか１つに記載の異物捕集ユニット。
【請求項６】
前記異物を含む前記潤滑油を前記ケーシングの前記流出口部側へ流動させるとともに前記捕集後の前記異物を前記捕集の状態に保持するように前記ケーシング内に設けられた異物保持手段を備えることを特徴とする請求項１〜５のいずれか１つに記載の異物捕集ユニット。
【請求項７】
前記異物保持手段は、前記ケーシングの一部に前記潤滑油の流動方向に傾動可能に支持されてなる傾動板でもって構成されており、
前記傾動板は、前記潤滑油の流動に伴い前記流出口部側へ傾動し、また、前記潤滑油の流動停止に伴い自重により元の位置に戻るようにしたことを特徴とする請求項６に記載の異物捕集ユニット。
【請求項８】
ハウジングと、
このハウジング内に作動可能に支持される作動機構と、
前記ハウジング内にて前記作動機構の下方に設けてなる請求項１〜７のいずれか１つに記載の異物捕集ユニットとを備えて、
前記潤滑油は、前記作動機構の少なくとも下部及び前記異物捕集ユニットを浸漬させるように前記ハウジング内に蓄えられており、
前記異物捕集ユニットは、前記作動機構の作動に伴い撹拌された前記潤滑油を、前記誘導手段でもって、前記ケーシング内に誘導するようにした作動機。
【請求項９】
前記作動機構は、回転可能なギアをその少なくとも下部にて前記潤滑油に浸漬させるように設けてなる変速機構であって、
前記異物捕集ユニットは、前記ギアの回転により撹拌された前記潤滑油を、前記誘導手段でもって、前記ケーシング内に誘導するようにしたことを特徴とする請求項８に記載の作動機。
【発明の詳細な説明】
【技術分野】
【０００１】
本発明は、潤滑油に含まれる異物を捕集するに適した異物捕集ユニット及びこの異物捕集ユニットを備える作動機に関するものである。
【背景技術】
【０００２】
従来、この種の異物捕集ユニットとしては、下記特許文献１に開示された異物除去装置がある。この異物除去装置は、変速機の底部に設けたケースの上方開口端部に、不規則に絡み合った連続通孔を有する３次元網目構造体を結合して、ケース内の底部に異物閉じ込め用空室を区画するように構成されている（下記特許文献１参照）。
【特許文献１】実公昭６３−０１９６７８号公報
【発明の開示】
【発明が解決しようとする課題】
【０００３】
ところで、上述の異物除去装置によれば、変速機が停止状態にあるときに、潤滑油に含まれる切粉や摩耗粉等の異物は、当該潤滑油内で沈下して３次元網目構造体を通り異物閉じ込め用空室内に捕集される。
【０００４】
しかしながら、変速機が作動状態にあれば、潤滑油が変速機の歯車等により攪拌されて流動しているため、潤滑油に含まれる異物は、沈下しにくく、当該潤滑油とともに流動してしまう。従って、変速機が作動状態にあるときには、上記異物除去装置によって異物を異物閉じ込め用空室内に捕集することは困難である。
【０００５】
そこで、本発明は、以上のようなことに対処するため、潤滑油が流動状態にあっても、当該潤滑油に含まれる異物を適正に捕集するようにした異物捕集ユニット及びこの異物捕集ユニットを備える作動機を提供することを目的とする。
【課題を解決するための手段】
【０００６】
上記課題の解決にあたり、本発明に係る異物捕集ユニットは、請求項１の記載によれば、
ケーシングと、
潤滑油をケーシング内に誘導する誘導手段と、
ケーシング内に誘導された潤滑油をケーシングに形成された流出口部から流出させるとともに潤滑油に含まれる異物を捕集するように、ケーシング内に設けられた異物捕集手段とを備える。
【０００７】
上述のように、誘導手段が潤滑油をケーシング内に誘導するように設けられているから、当該異物捕集ユニットが潤滑油内におかれた状態において、潤滑油が流動していても誘導手段でもって当該潤滑油をケーシング内に確実に誘導できる。
【０００８】
また、上述のように異物捕集手段がケーシングの流出口部から潤滑油を流出させるとともに異物を捕集するように当該ケーシングに設けられているから、上述のようにケーシング内に誘導された潤滑油に異物が含まれていれば、この異物は、異物捕集手段により確実に捕集されて、潤滑油のみがケーシングの流出口部から流出する。
【０００９】
従って、請求項１に記載の発明によれば、潤滑油に含まれていた異物が確実に捕集され得る。なお、ケーシングの流出口部から流出した潤滑油は、異物を含むことがなく清浄な潤滑油に復帰し得る。
【００１０】
なお、以上より、当該異物捕集ユニットが、例えば、自動車の変速機のハウジング内にて潤滑油に浸漬されているものとすれば、上述のような作用効果が変速機において達成され得る。
【００１１】
また、本発明は、請求項２の記載によれば、請求項１に記載の異物捕集ユニットにおいて、誘導手段は、潤滑油を回転によりケーシング内に誘導する回転部材を有することを特徴とする。
【００１２】
このように、潤滑油が回転部材の回転でもってケーシング内に誘導されるので、請求項１に記載の発明の作用効果がより一層具体的に達成され得る。
【００１３】
また、本発明は、請求項３の記載の発明によれば、請求項２に記載の異物捕集ユニットにおいて、回転部材は、ケーシングに形成された流入口部に回転可能に支持されてなる。
【００１４】
このように、回転部材が、ケーシングに形成された流入口部に回転可能に支持されているから、潤滑油のケーシング内への誘導が、回転部材によって、より一層確実になされ得る。その結果、請求項２に記載の作用効果がより一層向上し得る。
【００１５】
また、本発明は、請求項４の記載の発明によれば、請求項２または３に記載の異物捕集ユニットにおいて、回転部材は、上記流入口部の中心部に回転可能に支持される軸と、潤滑油をケーシング内に誘導するような形状でもって上記軸から上記流入口部の内周面側へ放射状に延出する１枚または２枚以上の羽根とを有することを特徴とする。
【００１６】
これにより、潤滑油が流動すれば、回転部材の１枚または２枚以上の羽根が、当該潤滑油の流動に伴い軸とともに回転されて、潤滑油を回転部材の周囲からケーシング内に誘導する流れが作られることとなる。このため、潤滑油のケーシング内への誘導が回転部材の周囲から順次円滑になされ得る。その結果、上述した異物捕集手段による異物の捕集がより一層効率よくなされ得る。
【００１７】
また、本発明は、請求項５の記載によれば、請求項１〜４のいずれか１つに記載の異物捕集ユニットにおいて、
異物捕集手段は、ケーシングの上記流出口部に設けられて潤滑油を通過させ異物の通過を阻止するような形状にて複数の貫通孔を離散的に形成してなる板部材と、ケーシングの板部材に対する内側部位とでもって構成されていることを特徴とする。
【００１８】
このように、異物捕集手段が、上述のように形成した板部材と、ケーシングの板部材に対する内側部位とでもって構成されるから、潤滑油に含まれる異物は、板部材及びケーシングの板部材に対する内側部位でもって確実に捕集され得る。その結果、請求項１〜４のいずれか１つに記載の発明の作用効果がより一層具体的に達成され得る。
【００１９】
また、本発明は、請求項６の記載によれば、請求項１〜５のいずれか１つに記載の異物捕集ユニットにおいて、
異物を含む潤滑油をケーシングの上記流出口部側へ流動させるとともに上記捕集後の異物を上記捕集の状態に保持するようにケーシング内に設けられた異物保持手段を備えることを特徴とする。
【００２０】
これにより、異物が、潤滑油とともに異物保持手段によりケーシングの流出口部側へ流動された後、上述のように捕集されると、この捕集後の異物は、異物保持手段でもってその捕集の状態に保持される。このため、捕集された異物が誘導手段側からケーシングの外部に逆戻りすることがなく、上述した異物の捕集が確保され得る。
【００２１】
また、本発明は、請求項７の記載によれば、請求項６に記載の異物捕集ユニットにおいて、
異物保持手段は、ケーシングの一部に潤滑油の流動方向に傾動可能に支持されてなる傾動板でもって構成されており、
傾動板は、潤滑油の流動に伴い上記流出口部側へ傾動し、また、潤滑油の流動停止に伴い自重により元の位置に戻るようにしたことを特徴とする。
【００２２】
これにより、傾動板が潤滑油の流動に伴い上記流出口部側へ傾動すると、潤滑油及びこの潤滑油に含まれる異物が、共に、傾動板の傾動端部を介し流動する。
【００２３】
ついで、異物が上述のように捕集された後、潤滑油の流れが停止すると、傾動板は自重でもって元の位置に戻るため、捕集された異物は、傾動板により阻止されて誘導手段側へ流動することができず、そのままに保持され得る。また、異物が上述のように捕集された後、潤滑油の流れが逆になっても、傾動板が潤滑油の逆の流れに伴い元の位置に戻るため、捕集された異物は、同様に、そのままに保持され得る。その結果、異物の捕集がより一層確実になされ、請求項６に記載の発明の作用効果がより一層向上され得る。
【００２４】
また、本発明に係る作動機は、請求項８の記載によれば、
ハウジングと、
このハウジング内に作動可能に支持される作動機構と、
ハウジング内にて作動機構の下方に設けてなる請求項１〜７のいずれか１つに記載の異物捕集ユニットとを備える。
【００２５】
ここで、潤滑油は、作動機構の少なくとも下部及び異物捕集ユニットを浸漬させるようにハウジング内に蓄えられている。
【００２６】
また、異物捕集ユニットは、作動機構の作動に伴い撹拌された潤滑油を、誘導手段でもって、ケーシング内に誘導する。
【００２７】
このように構成することにより、作動機構が、その作動に伴い、潤滑油を撹拌して誘導手段に向け流動させることで、この誘導手段が誘導状態におかれる。このため、潤滑油は、誘導手段によって異物捕集ユニットのケーシング内に誘導される。その結果、作動機において、請求項１〜７のいずれか１つに記載の発明と同様の作用効果が達成され得る。なお、異物捕集ユニットによる異物捕集後の潤滑油は、ケーシングの流出口部からハウジング内に流出するが、このように流出した潤滑油は異物を除去された清浄な潤滑油であるから、ハウジング内の潤滑油が常に清浄に維持され得る。
【００２８】
また、本発明は、請求項９の記載によれば、請求項８に記載の作動機において、
作動機構は、回転可能なギアをその少なくとも下部にて潤滑油に浸漬させるように設けてなる変速機構であって、
異物捕集ユニットは、ギアの回転により撹拌された潤滑油を、誘導手段でもって、ケーシング内に誘導するようにしたことを特徴とする。
【００２９】
このように作動機構を変速機構として構成すれば、当該変速機構でもってそのギアの回転により潤滑油を誘導手段に向けて流動させることで、この誘導手段が誘導状態におかれる。このため、潤滑油は、誘導手段でもって異物捕集ユニットのケーシング内に誘導される。その結果、変速機構を備えた作動機においても、請求項８に記載の発明と同様の作用効果が達成され得る。
【発明を実施するための最良の形態】
【００３０】
以下、本発明の一実施形態について図面を参照して説明する。
【００３１】
図１は、本発明を適用してなる手動変速機の一実施形態を示している。この手動変速機は、自動車に搭載されているもので、当該手動変速機は、ハウジング１０及びこのハウジング１０内に組み付けた変速機構２０を備えている。なお、図１にて図示左側及び右側が、当該手動変速機の前側及び後側に相当する。従って、図１の紙面の手前側及び奥側が当該手動変速機の左側及び右側に相当する。また、図１にて図示上側及び下側が、当該手動変速機の上側及び下側に相当する。また、当該手動変速機は、本発明の作動機に対応する。
【００３２】
ハウジング１０は、環状隔壁１１を有しており、この環状隔壁１１は、ハウジング１０内にてその軸方向中間部位に形成されている。また、ハウジング１０は、フランジ１２を有しており、このフランジ１２は、図１にて示すごとく、そのフランジ本体１２ａにて、ハウジング１０内にて環状隔壁１１にその前側から同軸的に組み付けられている。また、当該フランジ１２のボス１２ｂは、図１にて示すごとく、フランジ本体１２ａの中央部から前方へ同軸的にかつ筒状に延出している。
【００３３】
変速機構２０は、クラッチシャフト２１、カウンターシャフト２２及びメインシャフト２３を備えており、クラッチシャフト２１は、その軸方向後側中間部位にて、ベアリング１２ｄを介し環状隔壁１１の中空部内に回転自在に支持されて、ボス１２ｂから前方へ同軸的に延出している。また、当該クラッチシャフト２１の後側軸方向端部には、ドライブピニオンギア２４が一体的に形成されている。なお、クラッチシャフト２１の軸方向後側中間部位は、ボス１２ｂの後側内端部内にてオイルシール１２ｃでもってシールされている。また、変速機構２０は、本発明の作動機構に対応する。
【００３４】
しかして、当該クラッチシャフト２１は、当該自動車のエンジンから、フライホイール（図示しない）、及びハウジング１０内に環状隔壁１１の前側にて組み付けられるクラッチ（図示しない）を介し、動力を伝達されて、ドライブピニオンギア２４とともに矢印Ｒ（図１参照）の方向に一体的に回転する。
【００３５】
カウンターシャフト２２は、その前後両側軸方向端部でもって、ハウジング１０の底部側において、前後両側ベアリング２２ａ（図１では、前側ベアリング２２ａのみを示す）を介し、環状隔壁１１及びハウジング１０の傾斜壁１０ａに、クラッチシャフト２１の軸方向に平行となるように回転自在に支持されている。
【００３６】
このカウンターシャフト２２には、複数のカウンターギアが一体的に形成されている。本実施形態において、当該複数のカウンターギアを例示すれば、図１に示すごとく、カウンターシャフト２２の前端側及びその後側に位置する両カウンターギア２５、２６が挙げられる。ここで、カウンターギア２５は、ドライブピニオンギア２４と噛合している。なお、カウンターギア２６は、本発明のギアに対応する。
【００３７】
しかして、カウンターシャフト２２は、クラッチシャフト２１の回転に伴い、カウンターギア２５と噛合するドライブピニオンギア２４により駆動されて、クラッチシャフト２１とは逆方向に回転する。
【００３８】
メインシャフト２３は、その前後両側軸方向端部でもって、前後両側ベアリング２３ａ（図１では前側ベアリング２３ａのみを示す）を介し、クラッチシャフト２１のドライブピニオンギア２４の中空部及びハウジング１０の後側壁（図示しない）に、クラッチシャフト２１と同軸的にかつ回転自在に支持されている。
【００３９】
また、当該メインシャフト２３には、複数のメインギアが回転自在にかつ同軸的に支持されている。本実施形態において、当該複数のメインギアを例示すれば、図１に示すごとく、メインシャフト２３の前端側に位置するメインギア２７が挙げられる。ここで、当該メインギア２７は、カウンターギア２６と噛合している。残りの各メインギアも、対応の残りの各カウンターギアとそれぞれ噛合している。
【００４０】
また、当該メインシャフト２３には、シンクロナイザ２８が、相対回転不能に同軸的に支持されており、このシンクロナイザ２８は、当該手動変速機のシフト操作機構（図示しない）のシフト操作に伴い、上記複数のメインギアのいずれかをメインシャフト２３に相対回転不能に連結する。
【００４１】
ここで、上記複数のメインギアのいずれかがメインギア２７であれば、メインシャフト２３は、メインギア２７によるカウンターギア２６との噛合のもと、カウンターシャフト２２の回転に伴い、その逆方向（クラッチシャフト２１と同一の回転方向）に、上記シフト操作機構のシフト操作に伴う変速比でもって回転する。
【００４２】
また、当該手動変速機は、図１にて示すごとく、潤滑油３０を有しており、この潤滑油３０は、変速機構２０の各構成部材を潤滑するように、環状隔壁１１の後側にてハウジング１０の底部内に蓄えられている。ここで、潤滑油３０は、その油面３１にて、カウンターシャフト２２の軸心に一致するように蓄えられているため、カウンターシャフト２２及び各カウンターギアは、その各下側半分部位にて、潤滑油３０内に浸漬される。
【００４３】
また、当該手動変速機は、図１にて示すごとく、異物捕集ユニットＵを備えており、この異物捕集ユニットＵは、カウンターシャフト２２の前側部位の下方にて、左右両側ステイ１３（図１では一方のステイ１３のみを示す）を介し環状隔壁１１に支持されて潤滑油３０内に浸漬されている。
【００４４】
ここで、左右両側ステイ１３は、共に同一の長さでもって、環状隔壁１１の下部から互いに平行に後方に向けて潤滑油３０の下部内に延出している。なお、左右両側ステイ１３は、環状隔壁１１の下端から同一の高さにて左右に位置している。
【００４５】
次に、異物捕集ユニットＵの構成について詳細に説明する。異物捕集ユニットＵは、図１及び図２にて示すごとく、ケーシング４０を備えており、このケーシング４０は、略直方体形状のケーシング本体４０ａ及び左右両側支持片４０ｂでもって構成されている。なお、左右両側支持片４０ｂは、ケーシング本体４０ａの左右両側壁４１の各前側部位から互い逆向きにて左右方向に延出している。
【００４６】
しかして、ケーシング本体４０ａは、図１にて示すごとく、各支持片４０ｂを各ねじ１４（図１では、一方のねじ１４のみを示す）でもって各ステイ１３の延出端部に締着することで、上壁４２にて潤滑油３０の油面３１を臨むように、左右両側ステイ１３から後方に延出支持されている。
【００４７】
当該異物捕集ユニットＵは、図３にて示すごとく、ケーシング本体４０ａ内に設けた傾動板５０を備えている。この傾動板５０は、金属板からなるもので、当該傾動板５０は、その上端部に形成した略筒状フック部５１にて、ケーシング本体４０ａの左右両側壁４１の各上端側前後方向中間部位に、ロッド５２でもって前後方向に傾動可能に支持されて、ケーシング本体４０ａの内部を前側室４０ｃ及び後側室４０ｄに区画形成している。なお、傾動板５０は、本発明の異物保持手段に対応する。
【００４８】
前側室４０ｃは、図３にて示すごとく、前壁４３（ケーシング本体４０ａの前壁）と、左右両側壁４１の各前側壁部４１ａと、上壁４２の前側壁部４２ａと、この前側壁部４２ａに対向する半円筒状の底壁４４（ケーシング本体４０ａの底壁の前側部）と、傾動板５０とでもって構成されている。ここで、前壁４３の下部は、底壁４４の前部にかけて断面円弧状に湾曲する湾曲部４３ａとして形成されている。
【００４９】
また、後側室４０ｄは、傾動板５０と、上壁４２の後側壁部４２ｂと、この後側壁部４２ｂに対向する底壁４５（ケーシング本体４０ａの底壁の後側部）と、ケーシング本体４０ａの後壁である異物通過阻止板６０（後述する）でもって構成されている。なお、後側室４０ｄは、本発明にいうケーシングの板部材に対する内側部位に対応する。
【００５０】
ここで、底壁４５は、図３にて示すごとく、前側室４０ｃの底壁４４よりも下方に位置しており、両底壁４４、４５の境界部には、段差壁部４６が、後側室４０ｄ内にて、傾動板５０の下端部５３と当接し得るように形成されている。従って、段差壁部４６の内面は、垂下状態にあるときの傾動板５０の前側面と接する位置或いはこの位置よりも幾分後方にあることが望ましい。
【００５１】
異物通過阻止板６０は、図３及び図４にて示すごとく、四角形状の枠板６１内に多数の網目からなる板状フィルター６２を嵌着して構成されており、この異物通過阻止板６０は、枠板６１にて、ケーシング本体４０ａの後端開口部である流出口部４７に着脱可能に嵌着されて、後側室４０ｄの後壁（ケーシング本体４０ａの後壁）を構成している。本実施形態においては、フィルター６２の各網目の形状は、潤滑油３０を通過させ、変速機構２０の作動に伴い生ずる切り粉や摩耗粉等の異物の通過を阻止するように形成されている（図３及び図４参照）。なお、異物通過阻止板６０は、本発明の板部材に対応し、また、後側室４０ｄとともに本発明の異物捕集手段に対応する。
【００５２】
また、当該異物捕集ユニットＵは、図２、図３及び図５にて示すごとく、誘導体７０（本発明の誘導手段に対応）を備えており、この誘導体７０は、ケーシング本体４０ａの上壁４２の前側壁部４２ａに形成した円形状の流入口部４２ｃ内に着脱可能に装着されている。本実施形態では、誘導体７０は、変速機構２０のカウンターギア２６の下端部の直下に位置している（図１参照）。
【００５３】
当該誘導体７０は、支持部材７０ａ及び動翼部材７０ｂ（本発明の回転部材に対応）を備えている。支持部材７０ａは、環状壁７１を有しており、この環状壁７１は、その環状フランジ部７１ａをケーシング本体４０ａの流入口部４２ｃに上方から着座させるようにして、当該流入口部４２ｃに嵌装されている。
【００５４】
また、支持部材７０ａは、複数本（例えば、４本）のリブ７２及び軸７３を有しており、複数本のリブ７２は、環状壁７１の下端開口部からその中心に向けて半径方向に沿い等角度間隔にて延出している。軸７３は、図３にて示すごとく、大径部７３ａ及び小径部７３ｂを有しており、大径部７３ａは、各リブ７２によりその各延出端部にて、環状壁７１と同軸的に支持されている。小径部７３ｂは大径部７３ａから同軸的に環状壁７１の上端側に向けて突出している。
【００５５】
また、支持部材７０ａは、抜け止め板７４を有しており、この抜け止め板７４は、軸７３の突出端部にねじ７４ａ（図２及び図３参照）でもって締着されて、動翼部材７０ｂの環状軸７５（後述する）を軸７３から抜け止めしている。
【００５６】
動翼部材７０ｂは、環状軸７５を有しており、この環状軸７５は、スリーブメタル７６とともに、支持部材７０ａの軸７３の小径部７３ｂに同軸的かつ回動可能に嵌装支持されている。また、動翼部材７０ｂは、複数枚（例えば６枚）の羽根７７を有しており、これら各羽根７７は、環状軸７５から外方へ環状壁７１の内周面に向け放射状に延出している。
【００５７】
ここで、各羽根７７は、図５から分かるように、環状壁７１の上端側から下端側にかけて図示反時計方向へ傾斜している。これにより、各羽根７７は、その反時計方向側面７７ａにて、環状壁７１内に向け流動する潤滑油３０により押圧されるようになっている。
【００５８】
以上のように構成した本実施形態において、当該手動変速機の変速機構２０が、クラッチシャフト２１にて、上記エンジンから動力を伝達されて、矢印Ｒの方向に回転すると、カウンターシャフト２２が、カウンターギア２５によるドライブピニオンギア２４との噛合のもとに、クラッチシャフト２１とは逆方向に回転する。
【００５９】
すると、メインシャフト２３が、上記シフト操作機構のシフト操作に基づくシンクロナイザ２８の動作のもとに、上述の複数のメインギアのいずれかとともに、このいずれかのメインギアと噛合するカウンターギアにより駆動されて、カウンターシャフト２２とは逆方向に回転する。
【００６０】
このような状態においては、潤滑油３０が、カウンターシャフト２２及び各カウンターギアの各下側半分部分によりその回転方向に撹拌される。このように撹拌されると、異物捕集ユニットＵの誘導体７０の近傍に位置する潤滑油が、カウンターギア２６によりその下側半分部分の各噛合部でもって押し出されて異物捕集ユニットＵの誘導体７０の環状壁７１内に向けて流動する。なお、動翼部材７０ｂの各羽根７７が、カウンターギア２６の直下に位置しているので、カウンターギア２６により攪拌された潤滑油は、良好に各羽根７７に向けて流動し得る。
【００６１】
ここで、カウンターギア２６は、上述のごとく、矢印Ｒとは逆方向に回転しているため、上述した誘導体７０の近傍に位置する潤滑油は、カウンターギア２６の各噛合部でもって押し出されてカウンターギア２６の回転方向に流動しながら誘導体７０の環状壁７１内に向かう。
【００６２】
従って、このように押し出されて流動する潤滑油は、動翼部材７０ｂの各羽根７７のうちいくつかの羽根の反時計方向側面７７ａを幾分時計方向に向きぎみとなるように下方に向け押圧する。これに伴い、動翼部材７０ｂは、支持部材７０ａの軸７３の軸周りに、図２及び図５にて時計方向へ円滑に回転する。
【００６３】
このため、上述した潤滑油は、各羽根７７によりその時計方向側面により下方へ押し出されて、各リブ７２の間を通り異物捕集ユニットＵの前側室４０ｃ内に誘導される。これに伴い、潤滑油が、異物捕集ユニットＵの周囲から順次誘導体７０により前側室４０ｃ内に誘導される。
【００６４】
このことは、動翼部材７０ｂが、各羽根７７の回転でもって、異物捕集ユニットＵの周囲に位置する潤滑油を順次ケーシング４０内に誘導する流れを作ることを意味する。従って、異物捕集ユニットＵの周囲に位置する潤滑油のケーシング４０内への誘導が円滑になされ得る。
【００６５】
このように前側室４０ｃ内に順次誘導される潤滑油は、前側室４０ｃを通り、図６にて示すごとく傾動板５０を後方に傾動させながら、当該傾動板５０の下端部５３と段差壁部４６との間の隙間を通り、後側室４０ｄ内に流動する。
【００６６】
このとき、前側室４０ｃは、前壁４３から半円筒状の底壁４４の前側部にかけて、断面円弧状の湾曲部４３ａの内面に沿い案内されるので、上記潤滑油は、順次、後側室４０ｄ側へ円滑に流動し得る。従って、上述のように前側室４０ｃ内に誘導される潤滑油の後側室４０ｄ内への流動が円滑になされ得る。
【００６７】
ここで、変速機構２０において発生する切粉や磨耗粉等の異物が上述の潤滑油に含まれていれば、当該異物は、上記潤滑油に含まれたままにて、当該潤滑油とともに傾動板５０に向けて流動する。
【００６８】
このとき、上述のように傾動板５０は図６にて示すごとく後方へ傾動しているため、傾動板５０に向けて流動する異物は、上述のごとく傾動板５０の下端部５３と段差壁部４６との間の隙間を通る潤滑油に含まれたままで、後側室４０ｄ内に流動する。
【００６９】
なお、このような状態においては、前側室４０ｃの底壁４４が上述のごとく半円筒状に形成されているため、上述のように傾動板５０に向かう異物のうち底壁４４近傍の異物は、その自重のもと、底壁４４によりその内面の左右方向中央部に向け集められながら、上述の隙間を通り後側室４０ｄの底壁４５側へ円滑に流動していく。
【００７０】
上述のようにして、後側室４０ｄ内に流動した異物を含む潤滑油は、さらに、異物通過阻止板６０側に向けて流動する。このとき、フィルター６２の各網目は、上記異物の通過を阻止する形状となっているため、後側室４０ｄ内の異物はフィルター６２により通過を阻止される。
【００７１】
これにより、異物は、フィルター６２による通過阻止のもと、後側室４０ｄ内に捕集され得る。このことは、変速機構２０が作動していても、潤滑油３０に含まれる異物は、異物捕集ユニットＵでもって、確実に捕集されることを意味する。
【００７２】
従って、異物通過阻止板６０側に向けて流動した潤滑油のみが異物捕集ユニットＵの異物通過阻止板６０を通りその後方へ流出する。このため、当該異物捕集ユニットＵによれば、上記潤滑油が異物を除去されて清浄となってハウジング１０内の潤滑油３０に合流する。その結果、ハウジング１０内の潤滑油３０は、常に清浄に維持されるので、変速機構２０の構成部材（カウンターギアやメインギア等）の潤滑が常に良好に維持され得る。このことは、変速機構２０や潤滑油３０の寿命を長くすることにつながる。
【００７３】
このような状態において、変速機構２０が停止すると、潤滑油３０の流動が停止する。これに伴い、異物捕集ユニットＵにおいては、動翼部材７０ｂが停止してケーシング４０内への潤滑油の誘導を停止する。このため、ケーシング４０内における潤滑油がその流動を停止する。
【００７４】
従って、傾動板５０が、その自重に伴い、傾動して元の位置に戻り、下端部５３にて、段差壁部４６に当接して上記隙間をなくする。よって、後側室４０ｄ内に上述のように捕集された異物は、傾動板５０により阻止されて、誘導体７０側へ流動することなく、後側室４０ｄ内にそのまま保持され得る。従って、後側室４０ｄ内に上述のように捕集された異物がケーシング４０の流入口部４２ｃからハウジング１０の潤滑油３０内に逆流することはない。
【００７５】
また、上述のように変速機構２０が停止するのではなく、当該変速機構２０に設けられる後進用ギアが、上記変速操作機構の後進操作に伴い、カウンターギアとは逆方向に回転し、ハウジング１０内の潤滑油３０がケーシング４０内に異物通過阻止板６０側から逆流するようなことがあっても、このように逆流する潤滑油が傾動板５０を元の位置に戻すように傾動させる。従って、上述と同様に、後側室４０ｄ内に上述のように捕集された異物は、傾動板５０により阻止されて、誘導体７０側へ流動することなく、後側室４０ｄ内にそのまま保持され得る。なお、このようなことから、当該異物捕集ユニットにおいては、整波部材として複雑かつ不規則に絡み合った通孔を有する構造を有する３次元網目構造体を採用する必要もない。
【００７６】
また、当該異物捕集ユニットＵによれば、上述のように、誘導体７０による潤滑油の誘導でもって、異物をケーシング４０内の後側室４０ｄ内に捕集し得るので、永久磁石をケーシング４０内に設けて異物を吸引する必要もない。また、手動変速機の作動状態を検出するために磁気センサを採用する場合であっても、当該磁気センサの磁気作用を避けるに必要な配置位置等の制約を受けることがなくなり、設計の自由度を高めることができる。
【００７７】
また、変速機構２０が停止した後は、ハウジング１０内の潤滑油３０は流動することなく停止状態におかれる。このような状態においては、誘導体７０の上方において潤滑油３０に含まれている異物は、その自重に伴い、動翼部材７０ｂに向けて沈下しケーシング４０の前側室４０ｃ内に落ち込む。従って、その後に変速機構２０が再度作動すれば、上述のようにケーシング４０内に誘導される潤滑油でもって傾動板５０側へ押動されて、後側室４０ｄ内に上述と同様に捕集され得る。
【００７８】
なお、本発明の実施にあたり、上記実施形態に限ることなく、次のような種々の変形例が挙げられる。
（１）誘導体７０において、スリーブメタル７６を廃止し、環状軸７５を軸７３と一体に形成し、この軸７３を、各リブ７２の延出端部にて、回動可能に支持するようにしてもよい。
（２）誘導体７０は、ケーシング本体４０ａではなく、例えば、変速機のハウジング１０内にて、その底部に、ケーシング本体４０ａの流入口部４２ｃ内に潤滑油を誘導し得るように、支持されていてもよい。
（３）動翼部材７０ｂの羽根は、上記実施形態にて述べたものに限ることなく、潤滑油をケーシング４０内に誘導し得る形状であれば、どのような形状の羽根を採用してもよい。
【００７９】
また、動翼部材７０ｂの羽根の枚数は、６枚に限る必要がなく、一般的には、１枚或いは２枚以上であればよい。
（４）動翼部材７０ｂの各羽根７７は、上記実施形態とは異なり、傾斜していなくてもよい。
（５）誘導体７０は、動翼部材７０ｂのように回転により潤滑油を誘導する構成に限ることなく、潤滑油を誘導できれば、どのような構成を有するものであってもよい。
（６）異物捕集ユニットＵは、上記実施形態にて述べた手動変速機に限ることなく、自動車用自動変速機、或いは工作機械等の潤滑油による潤滑を要する作動機に適用しても、上記実施形態と同様の作用効果が達成され得る。
（７）傾動板５０は、その傾動状態から、ケーシング本体４０ａ内にて静止した潤滑油３０中にて元の位置に戻り得る重さを有すればよく、従って、当該傾動板５０は、金属板に限ることなく、樹脂板その他の板であってもよい。
（８）傾動板５０は、上記実施形態にて述べた金属板に限ることなく、多数の網目からなるフィルター金属板でもって構成してもよい。ここで、このフィルター金属板の各網目の形状は、潤滑油３０を通過させ、変速機構２０の作動に伴い生ずる切り粉や摩耗粉等の異物の通過を阻止するように形成されている。
（９）異物通過阻止板６０は、網目形状のものに限ることなく、潤滑油を通過させ異物の通過を阻止し得る複数の貫通孔部を有する形状のものであればよい。
（１０）異物捕集ユニットＵは、上記実施形態にて述べた位置に限ることなく、変速機構２０の下方であって潤滑油３０の内部であれば、どのような位置に設けてもよい。なお、異物捕集ユニットＵは、ハウジング１０の底部に設置できればよく、その設置構造は特に限定されない。
【図面の簡単な説明】
【００８０】
【図１】本発明を適用してなる自動車用手動変速機の一実施形態を示す部分破断側面図である。
【図２】図１の異物捕集装置の拡大斜視図である。
【図３】図２にて３−３線に沿う断面図である。
【図４】図１の異物捕集装置の部分破断背面図である。
【図５】図１の異物捕集装置の拡大平面図である。
【図６】図３において可動板が傾斜した状態を示す異物捕集装置の断面図である。
【符号の説明】
【００８１】
Ｕ…異物捕集ユニット、１０…ハウジング、２０…変速機構、
２６…カウンターギア、３０…潤滑油、４０…ケーシング、４０ｄ…後側室、
４２ｃ…流入口部、５０…傾動板、６０…異物通過阻止板、７０…誘導体、
７０ｂ…動翼部材、７５…環状軸、７７…羽根。
【図１】
2007247667.tif 000003
【図２】
2007247667.tif 000004
【図３】
2007247667.tif 000005
【図４】
2007247667.tif 000006
【図５】
2007247667.tif 000007
【図６】
2007247667.tif 000008